(57)【要約】【課題】  火災時等の熱により溶融や脱落等した物が、床面や下枠等に落ちて飛び散り火種となるのを防ぐ。【解決手段】  通路用開口部Ａを開閉する開閉体（引戸２０）と、通路用開口部Ａの上方側に設けられるとともに通路用開口部Ａの横幅方向へわたって内部が中空状の上側横枠１１と、上側横枠１１内で横幅方向へ連続するように固定されたガイドレール１１ｃと、ガイドレール１１ｃに掛合して前記横幅方向へ移動するとともに下方側に前記開閉体を吊持した移動支持部２０ａとを備え、移動支持部２０ａの前記横幅方向への移動により前記開閉体を開閉動作するようにした開閉装置において、ガイドレール１１ｃの下方側に、ガイドレール１１ｃよりも幅広に形成されるとともに前記横幅方向へ連続する受部１１ｇを設け、該受部１１ｇによって落下物を受けるようにした。【選択図】  図２
2014202048.tif 000002
【特許請求の範囲】
【請求項１】
通路用開口部を開閉する開閉体と、前記通路用開口部の上方側に設けられるとともに前記通路用開口部の横幅方向へわたって内部が中空状の上側横枠と、前記上側横枠内で横幅方向へ連続するように固定されたガイドレールと、前記ガイドレールに掛合して前記横幅方向へ移動するとともに下方側に前記開閉体を吊持した移動支持部とを備え、前記移動支持部の前記横幅方向への移動により前記開閉体を開閉動作するようにした開閉装置において、
前記ガイドレールの下方側に、前記ガイドレールよりも幅広に形成されるとともに前記横幅方向へ連続する受部を設け、該受部によって落下物を受けるようにしたことを特徴とする開閉装置。
【請求項２】
前記受部を、前記上側横枠に固定したことを特徴とする請求項１記載の開閉装置。
【請求項３】
前記受部を、前記通路用開口部の上方側に横幅方向へわたって設けたことを特徴とする請求項２記載の開閉装置。
【請求項４】
前記移動支持部は、前記ガイドレール上を転動する吊車と、該吊車を回転可能に支持するとともにその下端側に前記開閉体を止着した支持ブラケットとを具備し、
前記受部は、前記吊車を下方側から覆うように前記上側横枠の内面から突出していることを特徴とする請求項１乃至３何れか１項記載の開閉装置。
【請求項５】
前記開閉体が、前記通路用開口部を横幅方向へ開閉するとともに開放した際に戸袋部に収納される引戸であり、前記受部の一端部を前記戸袋部側に突出させるとともに、その突出部分を前記戸袋部の横幅方向の全長よりも短くしたことを特徴とする請求項１乃至４何れか１項記載の開閉装置。
【発明の詳細な説明】
【技術分野】
【０００１】
本発明は、移動支持部によって吊持された開閉体を移動支持部の移動により開閉動作させる開閉装置に関するものである。
【背景技術】
【０００２】
従来、この種の発明には、例えば、特許文献１に記載されるもののように、通路用開口部（ｓ）を囲む枠体（１０）と、該枠体の上枠部（１３）内に横幅方向へわたって装着されたガイドレール（７０）と、該ガイドレール上を転動する吊車（２１）と、該吊車によって吊持された引戸（開閉体２０）と、前記上枠部内で前記吊車を移動させるリニアモータ部（３０）とを具備したものがある。
【０００３】
ところで、上記従来技術のような引戸装置では、枠体（１０）と引戸（開閉体２０）の間には、引戸の屋内側と屋外側とを連通する隙間が形成される。より詳細に説明すれば、例えば、枠体（１０）の上枠部（１３）は中空状に形成され、この上枠部（１３）と引戸（開閉体２０）の上端側部分の間には、特許文献１の図２に示されるように、隙間が形成される。このため、万が一、火災が生じた場合には、前記隙間を通じて、炎が上枠部（１３）内へ侵入し、上枠部（１３）内のガイドレール（７０）や、吊車（２１）、その他の物を、溶融させたり脱落させたりするおそれがある。そして、このようにして生じた落下物は、床面や下枠面等に落ちて飛び散り、他の物を引火させる火種となる可能性がある。
【先行技術文献】
【特許文献】
【０００４】
【特許文献１】特開２００５−９００４０号公報
【発明の概要】
【発明が解決しようとする課題】
【０００５】
本発明は上記従来事情に鑑みてなされたものであり、その課題とする処は、火災時等の熱により溶融や脱落等した物が、床面や下枠等に落ちて飛び散り火種となるのを防ぐことができる開閉装置を提供することにある。
【課題を解決するための手段】
【０００６】
上記課題を解決するための一手段は、通路用開口部を開閉する開閉体と、前記通路用開口部の上方側に設けられるとともに前記通路用開口部の横幅方向へわたって内部が中空状の上側横枠と、前記上側横枠内で横幅方向へ連続するように固定されたガイドレールと、前記ガイドレールに掛合して前記横幅方向へ移動するとともに下方側に前記開閉体を吊持した移動支持部とを備え、前記移動支持部の前記横幅方向への移動により前記開閉体を開閉動作するようにした開閉装置において、前記ガイドレールの下方側に、前記ガイドレールよりも幅広に形成されるとともに前記横幅方向へ連続する受部を設け、該受部によって落下物を受けるようにしたことを特徴とする。
【発明の効果】
【０００７】
本発明は、以上説明したように構成されているので、火災時等の熱でガイドレールやガイドレール付近のものが溶融して落下した場合に、その際の落下物を受部によって受けることができ、ひいては、該落下物が床面等に落ちて火種となるようなことを防ぐことができる。
【図面の簡単な説明】
【０００８】
【図１】本発明に係る開閉装置を室内側から視た正面図である。
【図２】図１における(II)-(II)線に沿う断面図である。
【図３】図１における(III)-(III)線に沿う断面図である。
【図４】図１における(IV)-(IV)線に沿う断面図である。
【図５】同開閉装置について、駆動装置を有する部分の縦断面図である。
【図６】図１における(VI)-(VI)線に沿う断面図である。
【図７】図１における(VII)-(VII)線に沿う断面図である。
【図８】引戸の要部を切欠して内部を示す構造図である。
【図９】引戸を上方から視た図である。
【図１０】引戸を下方から視た図である。
【図１１】引戸の要部横断面図である。
【図１２】戸袋側のパネルの一例を示し、（ａ）は正面図、（ｂ）は側面図である。
【図１３】上端側の迂回路の一例を示す縦断面図である。
【図１４】戸尻側の迂回路の一例を示す横断面図である。
【図１５】引戸の下端側を示す要部拡大縦断面図である。
【図１６】本発明に係る開閉装置の他例を示す横断面図である。
【図１７】上端側防炎補助部材の他例を示し、（ａ）は平面図、（ｂ）は正面図、（ｃ）は左側面図である。
【発明を実施するための形態】
【０００９】
本実施の形態の第一の特徴は、通路用開口部を開閉する開閉体と、前記通路用開口部の上方側に設けられるとともに前記通路用開口部の横幅方向へわたって内部が中空状の上側横枠と、前記上側横枠内で横幅方向へ連続するように固定されたガイドレールと、前記ガイドレールに掛合して前記横幅方向へ移動するとともに下方側に前記開閉体を吊持した移動支持部とを備え、前記移動支持部の前記横幅方向への移動により前記開閉体を開閉動作するようにした開閉装置において、前記ガイドレールの下方側に、前記ガイドレールよりも幅広に形成されるとともに前記横幅方向へ連続する受部を設け、該受部によって落下物を受けるようにした。
この構成によれば、火災時等の熱でガイドレールやガイドレール付近のものが溶融して落下しても、その際の落下物を受部によって受けることができ、ひいては、該落下物が床面等に落ちて飛び散り火種となるようなことを防ぐことができる。
【００１０】
第二の特徴としては、前記受部を前記上側横枠に固定した。
この構成によれば、火災時等の落下物を、開閉体の開閉状態にかかわらず、上側横枠に固定された受部によって受けることができる。
【００１１】
第三の特徴としては、前記受部を、前記通路用開口部の上方側に横幅方向へわたって設けた。
この構成によれば、落下物が通路用開口部の近くに落ちるのを防ぐことができる。
【００１２】
第四の特徴としては、前記移動支持部は、前記ガイドレール上を転動する吊車と、該吊車を回転可能に支持するとともにその下端側に前記開閉体を止着した支持ブラケットとを具備し、前記受部は、前記吊車を下方側から覆うように前記上側横枠の内面から突出している。
この構成によれば、特に吊車が溶融したり落下した場合に、その落下物を受部によって受けることができる。
なお、前記落下物をより効果的に受けるためには、前記受部の突端側に上方向きの突片部を設ける
【００１３】
第五の特徴としては、前記開閉体が、前記通路用開口部を横幅方向へ開閉するとともに開放した際に戸袋部に収納される引戸であり、前記受部の一端部を前記戸袋部側に突出させるとともに、その突出部分を前記戸袋部の横幅方向の全長よりも短くした。
この構成によれば、受部上に落ちた落下物が、該受部における横幅方向の一端側からこぼれ落ちる場合に、この落下物を、開閉体の戸尻から離して戸袋側に落下させることができる。ひいては、落下物が通路用開口部側に落下して飛び散り火種となるのを防ぐことができる。
【００１４】
また、さらに好ましい特徴としては、前記受部の止着スペースや止着強度を確保するために、前記上側横枠は、前記ガイドレールを長手方向にわたって固定する面を、その下側の面よりも突出させてなる凸部（１１ａ１２）を有し、この凸部の下面に、前記受部を固定する（図２参照）。
【００１５】
次に、上記特徴を有する本実施の形態の好ましい具体例を、図面に基づいて詳細に説明する。
以下の開閉装置は、病院や、ビル、住宅、倉庫、工場、車両の荷台等の構築・構造物における開口部分に配設され、開閉体をガイドレールに吊り下げて略水平方向へ略直線的に移動させる、上吊方式の引戸装置に適用した一例として説明する。
【００１６】
開閉装置１（引戸装置）は、内側に正面視矩形状の通路用開口部Ａを有する枠体１０と、通路用開口部Ａを横幅方向への移動により開閉する引戸２０（開閉体）とを具備する（図１参照）。
この開閉装置１は、枠体１０内（詳細には上側横枠１１内）のガイドレール１１ｃの下方側に、ガイドレール１１ｃよりも幅広の（図示例によれば開閉体厚さ方向（図２の左右方向）の幅が広い）受部１１ｇと、該受部１１ｇよりも下側に位置する上端側防炎補助部材２２（受部）を備え、これら二重の受部１１ｇ，２２によって、火災時に溶融や脱落等した落下物を受けるようにしている。
【００１７】
枠体１０は、引戸２０（開閉体）の開閉経路の上方側に位置する上側横枠１１と、通路用開口部Ａの閉鎖方向側（図１によれば左端側）に位置する戸先側縦枠１２と、引戸２０の開閉範囲の中央寄りに位置する中央側縦枠１３と、全開時の引戸２０の戸尻に対向するように位置する戸尻側縦枠１４とを具備する。
この枠体１０は、図１に示す一例によれば、その枠内の左側部分に通路用開口部Ａを配置し、同枠内の右側部分に、引戸２０を収納するための戸袋部Ｂを配置し、構築構造物等の開口部内縁に嵌め合せられるとともに、戸袋部Ｂを前記構築構造物等の壁内に埋め込んでいる。
【００１８】
上側横枠１１は、通路用開口部Ａの上方に位置する開口側部位１１ａと、戸袋部Ｂの上方に位置する戸袋側部位１１ｂとからなり、開閉体開閉方向（図１によれば左右方向）へ連続する略中空箱状に形成される。これら開口側部位１１ａと戸袋側部位１１ｂは、開閉体横幅方向へわたる一体の部材としてもよいし、別体の部材を接合してなるものであってもよい。そして、上側横枠１１の下端部には、引戸２０の上端部が隙間を有する状態で挿入される。
【００１９】
上側横枠１１の開口側部位１１ａは、図２に示すように、縦断面略逆Ｌ字状の基部１１ａ１と該基部に対し着脱可能なカバー部１１ａ２とを具備してなる。
【００２０】
また、上側横枠１１の戸袋側部位１１ｂは、図３に示すように、縦断面略逆Ｌ字状の基部１１ｂ１と該基部に対し着脱不能に装着された防火板１１ｂ２とを具備してなる。
防火板１１ｂ２は、その上端側にフック状の掛止部１１ｂ２１（図３及び図１２（ｂ）参照）を有し、この掛止部１１ｂ２１を戸袋部Ｂ内側へ凹ませて、基部１１ｂ１に引っ掛けて溶接固定している（図３参照）。
また、戸袋部Ｂ内の底部には、縦断面凹状の底部材１１ｑが戸幅方向へ連続して設けられる。この底部材１１ｑは、耐火性の金属板からなり、火災時に落下した溶融物等が建物等の床面に接触して引火等の原因になるのを防ぐ。
【００２１】
上側横枠１１内の基部１１ａ１，１１ｂ１の壁面には、ガイドレール１１ｃを長手方向にわたって固定するための面を、その下側の面よりも突出させてなる凸部１１ａ１２が設けられる。この凸部１１ａ１２は、上側横枠１１の略全長にわたって連続するように形成され、その下面には、溶接やネジ止め、リベット止め等によって受部１１ｇが固定される。詳細には、図２に示すように、凸部１１ａ１２の下面と、ガイドレール１１ｃ下面とが略面一に設けられ、これら下面及びガイドレール１１ｃ下面に接触するように受部１１ｇが固定される。
【００２２】
ガイドレール１１ｃは、上側横枠１１内の横幅方向の略全長にわたる断面略Ｌ字状の部材であり、例えば、アルミニウム合金等によって形成されている（図２及び図３参照）。
【００２３】
受部１１ｇは、引戸開閉方向へわたってガイドレール１１ｃを下方側から覆い受ける縦断面略Ｌ字状の部材である。この受部１１ｇの材質は、耐熱性及び耐腐食性の良好な材料であればよく、例えば、亜鉛メッキ鋼板等とされる。
【００２４】
より詳細に説明すれば、受部１１ｇは、引戸２０の横幅寸法よりも若干長く形成され、通路用開口部Ａの横幅方向へ連続するとともにその開放方向の端部側に、戸袋部Ｂ内に突出する突出部分１１ｇ１１（図１参照）を有する。この突出部分１１ｇ１１は、引戸２０が全開した際に戸袋部Ｂ内で戸尻側縦枠１４に近接するようにすればよいが、他例としては、引戸２０が全開した際に戸尻側縦枠１４内の横向き穴（図示せず）に挿入し逃がされるようにしてもよい。
また、この受部１１ｇは、図２に示すように、ガイドレール１１ｃ及び吊車２４を、該吊車２４の軸方向において下方側から覆うように上側横枠１１の内面から開閉体厚さ方向へ突出しており、その突端側に、上方向きの突片部１１ｇ１を有する。この突片部１１ｇ１は、受部１１ｇの前記突端側を上方に曲げてなり、開閉体横幅方向へわたって受部１１ｇと一体に構成され、吊車２４や支持ブラケット２３との干渉や当接を避けるために、吊車２４と支持ブラケット２３の間に入り込むように位置する。
そして、この受部１１ｇは、火災時の高熱により、ガイドレール１１ｃ、吊車２４、制動装置１１ｄ、駆動装置１１ｅ（図５参照）等が溶融した場合に、その溶融物を下方から受け、該溶融物が床面等に落下して飛び散るのを防ぐ。
【００２５】
その他、上側横枠１１内には、全閉時（又は全開時）の衝撃を緩和する制動装置１１ｄ（図２参照）、引戸２０を閉鎖方向へ付勢する駆動装置１１ｅ（図５参照）、全開時の引戸２０を受ける戸当たり部材１１ｆ（図３参照）等が設けられる。
【００２６】
また、上側横枠１１の逆Ｌ字状の基部１１ａ１は、図２に示すように、その下端側が、枠体側突片部１１ａ１１を有する断面凹状に形成され、同様に、カバー部１１ａ２も、その下端側が、枠体側突片部１１ａ２１を有する断面凹状に形成される。これら断面凹状の部分は、火災時の溶融物等の落下物を受ける受部としても機能する。
枠体側突片部１１ａ１１，１１ａ２１の各々は、上側横枠１１の開口側部位１１ａ（図１参照）の下端面において、引戸２０を挿入する開口部の縁（図２参照）を、引戸２０面に近接した位置で上方へ折り曲げることで形成され、引戸２０の横幅方向へ連続している。
【００２７】
また、戸先側縦枠１２は、通路用開口部Ａの引戸閉鎖方向側の端部に位置する部材であり、上側横枠１１から床面にわたる上下方向へ連続している（図１参照）。この戸先側縦枠１２における引戸２０に対向する面には、引戸２０の戸先を嵌脱する凹部１２ａが上下方向へわたって形成される（図４参照）。
なお、図４中、符号１２ｂは、火災時に戸先側縦枠１２が熱変形するのを防ぐ板状の補強材であり、上下方向に間隔を置いて複数溶接されている。
【００２８】
中央側縦枠１３は、開閉体開放方向側にて通路用開口部Ａの内縁を形成する部材であり、上側横枠１１の下端から床面にわたる上下方向へ連続するとともに、開放動作した際の引戸２０を挿入する開口部を有する（図４参照）。
そして、中央側縦枠１３における前記開口部内側には、図４に示すように、引戸２０を挟んで戸厚方向の両側に位置するように、枠体側突片部１３ａ，１３ａが設けられる。
これら枠体側突片部１３ａ，１３ａの各々は、中央側縦枠１３の前記開口部の内縁から引戸２０面側へ突出するとともに、引戸２０面に沿って戸尻方向へ折れ曲った横断面略Ｌ字状に形成され（図４参照）、通路用開口部Ａの上下方向の略全長にわたり連続している。
【００２９】
また、戸尻側縦枠１４は、戸袋部Ｂの引戸開放方向側の端部を構成する部材であり（図１参照）、上側横枠１１から床面にわたる上下方向へ連続している。この戸尻側縦枠１４には、全開時の引戸２０の戸尻側端部を受けて、その衝撃を緩和する緩衝材１５（例えばゴム等の弾性体）が固定されている（図４参照）。
【００３０】
中央側縦枠１３と戸尻側縦枠１４の間の空間は、開放した際の引戸２０を収納する戸袋部Ｂであり、この戸袋部Ｂの戸厚方向の両端面は、図３に示すように、耐火性の防火板１１ｂ２，１１ｂ３，１１ｂ４（例えば、鉄板等）により構成される。
なお、図３及び図４中、符号１１ｐは、防火板１１ｂ２，１１ｂ３，１１ｂ４を、基部１１ｂ１やその他のパネル材等に溶接する溶接部である。この溶接部１１ｐは、外壁材ｘ内面との干渉を避けるように、防火板１１ｂ２，１１ｂ３，１１ｂ４を部分的に戸袋部Ｂ内側へ凹ませた部分に設けられる。
【００３１】
引戸２０（開閉体）は、正面視略矩形状の引戸本体２１（開閉体本体）と、該引戸本体２１の上端面に固定された上端側防炎補助部材２２（受部）（図２参照）と、防炎補助部材２２から上方へ突出する移動支持部２０ａ（支持ブラケット２３及び吊車２４）（図２参照）と、引戸本体２１の戸尻側の端面に固定された戸尻側防炎補助部材２５（図４参照）とを具備する。そして、この引戸２０は、移動支持部２０ａによりガイドレール１１ｃに吊るされるとともに、下端側が床面のガイドローラ２６（図２参照）に嵌め合せられて、横幅方向へ直進運動する。
【００３２】
引戸本体２１は、通路用開口部Ａを略覆う矩形板状に構成され、その上端側部分を、上側横枠１１に挿入している。この引戸本体２１は、ある程度の厚みを有する中空状に構成され、その内部には、当該開閉装置１の使用目的に応じた材料（例えば、断熱材や防音材、耐火部材、補強材等）からなる芯材２１ａ（図２参照）が設けられる。
【００３３】
上端側防炎補助部材２２（受部）は、開閉体横幅方向（図１によれば左右方向）にわたって、引戸本体２１の上端面に固定された略矩形板状の部材であり（図８及び図９参照）、開閉体厚さ方向（図２によれば左右方向）の両端部を、引戸本体２１の表裏面から突出している（図２参照）。そして、この突端側には、下方へ突出して後述する迂回路ｓ１を構成する引戸側突片部２２ａと、上方へ突出する上向き突片部２２ｂとを有する。開閉体厚さ方向の両側の上向き突片部２２ｂ，２２ｂ間は、火災時の溶融物等の落下物を受ける受部として機能する（図２及び図１３参照）。
また、上端側防炎補助部材２２の戸尻側には、引戸２０の戸尻側端部から戸袋部Ｂ内側へ突出して（図８参照）、火災時の溶融物が戸袋部Ｂ内で戸尻近傍に落下するのを防ぐ戸尻側突出部２２ｃが設けられる。
上端側防炎補助部材２２の材質は、耐熱性及び耐腐食性の良好な材料であればよく、例えば、亜鉛メッキ鋼板等とされる。
【００３４】
受部１１ｇの突出部分１１ｇ１１、及び上端側防炎補助部材２２（受部）の戸尻側突出部２２ｃの長さは、火災時の溶融物等の落下物が通路用開口部Ａから離れて戸袋部Ｂ内に落下するように、引戸２０の全閉状態において戸尻よりも戸袋部Ｂ内側へ突出するとともに、戸袋部Ｂの横幅方向の全長よりも短い適宜長さに設定すればよい。
特に好ましくは、図１に示すように、上側に位置する受部１１ｇの突出部分１１ｇ１１を、その下側の戸尻側突出部２２ｃよりも戸袋部Ｂ内側へ突出するように形成する。この構成によれば、全閉状態において、火災時の溶融物等の落下物が突出部分１１ｇ１１に落下し、さらに突出部分１１ｇ１１からこぼれ落ちたとしても、その落下物を、戸尻側突出部２２ｃ上に留まらせることなく、比較的被引火物の少ない戸袋部Ｂ内の奥側へ落下させることができる。
なお、他例としては、受部１１ｇの突出部分１１ｇ１１と、戸尻側突出部２２ｃとのうち、その一方または双方を、戸尻から突出させない構成とすることも可能である。
【００３５】
また、受部１１ｇの突出部分１１ｇ１１の戸先側の端部は、移動支持部２０ａの下方側を覆うように、ガイドレール１１ｃの戸先側の端部と略同じ位置とすればよく、図１の一例によれば、戸先側縦枠１２の位置よりも若干戸尻側に位置する。なお、他例としては、受部１１ｇの突出部分１１ｇ１１の戸先側の端部を戸先側縦枠１２の位置まで延ばすことも可能である。
【００３６】
また、上端側防炎補助部材２２（受部）の戸先側の端部は、錠前装置２８との干渉等を避けるために、引戸２０の戸先部分よりも若干戸尻寄りに位置する（図１参照）。なお、他例として、錠前装置２８との干渉を避ける構造を有する場合等には、上端側防炎補助部材２２（受部）の戸先側の端部を、引戸２０の戸先と同位置又は略同位置にすることも可能である。
【００３７】
引戸側突片部２２ａは、図１３に示すように、上端側防炎補助部材２２の開閉体厚さ方向の突端側を、枠体側突片部１１ａ２１よりも引戸２０面から離隔するとともに、引戸面に沿うように下方へ曲げることで形成される。
この引戸側突片部２２ａは、引戸２０における横幅方向の略全長にわたって連続している。
【００３８】
また、上側横枠１１側の上向き突片部２２ｂは、図１３に示すように、上端側防炎補助部材２２の戸厚方向の突端側を、引戸２０面から離隔した位置で、引戸側突片部２２ａとは逆に上方へ突出させてなり、上端側防炎補助部材２２（受部）における開閉体横幅方向の略全長にわたって連続している。
この上向き突片部２２ｂは、ガイドレール１１ｃ、吊車２４及び支持ブラケット２３等を、開閉体厚さ方向の略全長に連続して覆うことで、例えば、火災時にガイドレール１１ｃ（アルミニウム合金）や吊車２４（合成樹脂材材料）が溶融して落下した場合に、これらを開閉体厚さ方向へこぼれ落ちないように受ける。
【００３９】
また、上端側防炎補助部材２２の上面には、図９に示すように、複数のガス抜き孔２２ｄが設けられる。これらガス抜き孔２２ｄは、引戸２０内の空間に連通しており、火災時の高温により発生した引戸２０内のガスを上側横枠１１内へ逃がす。
【００４０】
上端側防炎補助部材２２の上面において、ガス抜き孔２２ｄの周囲には、上端側防炎補助部材２２（受部）の上面よりも上方へ突出した円筒状の堤部２２ｅが設けられる（図９参照）。この堤部２２ｅは、火災時の高温による溶融物が、ガス抜き孔２２ｄから引戸２０内へ侵入するのを防ぎ、ひいては、前記溶融物により、引戸２０内の芯材２１ａや接着剤等が溶融したり引火したりするのを防ぐ。
【００４１】
また、図９に示すように、上端側防炎補助部材２２の上面における戸先側と戸尻側には、それぞれ、戸先側突片部２２ｆと、戸尻側突片部２２ｇが設けられる。これら突片部２２ｆ，２２ｇは、上端側防炎補助部材２２上面から上方へ突出するとともに、戸厚方向両側の上向き突片部２２ｂ，２２ｂの間にわたって連続している。
戸先側突片部２２ｆは、火災時の溶融物が戸先側へ落下するのを阻んで、その落下量を最小限にする。また、戸尻側突片部２２ｇは、火災時の溶融物が戸尻側へ落下するのを防ぐ。
【００４２】
なお、図９中、符号２２ｈは、移動支持部２０ａの支持ブラケット２３を固定する取付孔であり、火災時に移動支持部２０ａの溶融物がガス抜き孔２２ｄに落下するのを防ぐように、ガス抜き孔２２ｄに対し開閉体幅方向へ離れた位置に設けられる。
【００４３】
また、移動支持部２０ａは、ガイドレール１１ｃ上を転動する吊車２４と、該吊車２４を回転可能に支持するとともにその下端側に引戸２０（開閉体）を止着した支持ブラケット２３を具備してなる。
支持ブラケット２３及び吊車２４は、引戸本体２１（詳細には上端側防炎補助部材２２）の上端面に、開閉体横幅方向へ間隔を置いて複数（図示例によれば二つ）支持される。
支持ブラケット２３は、図示例によれば、断面Ｌ字状の金具であり、その底片部分を引戸本体２１上端に固定するとともに、上方へ突出する垂直状片部分に、吊車２４を回転自在に支持している。
吊車２４は、例えば、合成樹脂材料等から薄肉円柱状に形成され、その外周面をガイドレール１１ｃ上で転動させるように係合している。
【００４４】
また、戸尻側防炎補助部材２５は、引戸上下方向の略全長にわたって、引戸本体２１の戸尻側の端面に固定された略矩形板状の部材である（図４、図１０及び図１１参照）。この戸尻側防炎補助部材２５における戸厚方向の両端側には、引戸本体２１面から突出するとともに戸先方向へも突出した引戸側突片部２５ａが形成される。
【００４５】
次に、引戸２０上端側と戸尻側の迂回路ｓ１，ｓ２について詳細に説明する。
引戸２０上端側の迂回路ｓ１は、図１３に示すように、引戸２０上端から戸厚方向へ突出して下方へ向く引戸側突片部２２ａや、上側横枠１１の下端側から突出して引戸面と引戸側突片部２２ａとの間に下方から入り込む枠体側突片部１１ａ２１，１１ａ１１、上側横枠１１内の空間等によって構成される。そして、この迂回路ｓ１は、引戸２０を挟む一方の空間と他方の空間（例えば、図１３の引戸２０左右の空間）を、上側横枠１１内を介して連通している。
より詳細に説明すれば、この迂回路ｓ１は、図１３に二点鎖線で示すように、引戸２０の戸厚方向の一方側（図１３によれば右側）においては、引戸２０面と枠体側突片部１１ａ２１の間に侵入した流体を、上端側防炎補助部材２２に当てて、侵入方向に対する逆方向（図１３によれば下方）へ略Ｕターン状に曲げ、枠体側突片部１１ａ２１と引戸側突片部２２ａの間を前記逆方向へ通過させた後、上側横枠１１内の底面に当てて曲げ、前記侵入方向（図１３によれば上方）へ戻して上側横枠１１内へ導く、略蛇行状の経路を形成している。同様に、引戸２０の戸厚方向の他方側（図１３によれば左側）の迂回路ｓ１も、前記と対称の略蛇行状の経路を形成している。
【００４６】
また、引戸２０戸尻側の迂回路ｓ２は、図１４に示すように、引戸２０の戸尻側端部から戸厚方向へ突出するとともに戸先方向へ延設された引戸側突片部２５ａや、中央側縦枠１３の戸先側端部から引戸２０面側へ突出するとともに引戸２０面と引戸側突片部２５ａとの間に入り込む枠体側突片部１３ａ、戸袋部Ｂ内の空間等によって構成される。そして、この迂回路ｓ２は、引戸２０を挟む一方の空間と他方の空間（例えば、図１４の引戸２０上下の空間）を、戸袋部Ｂ内を介して連通している。
より詳細に説明すれば、この迂回路ｓ２は、図１４に二点鎖線で示すように、引戸２０の戸厚方向の一方側（図１４によれば下側）においては、引戸２０面と枠体側突片部１３ａの間に侵入した流体を、戸尻側防炎補助部材２５に当てて、侵入方向に対する逆方向（図１４によれば左方向）へ略Ｕターン状に向け、枠体側突片部１３ａと引戸側突片部２５ａの間を前記逆方向へ通過させた後、中央側縦枠１３内面に当てて曲げ、前記侵入方向（図１４によれば右方向）へ戻して戸袋部Ｂ内へ導く、略蛇行状の経路を形成している。同様に、引戸２０の戸厚方向の他方側（図１４によれば上側）の迂回路ｓ２も、前記と対称の略蛇行状の経路を形成している。
【００４７】
なお、図１３中、符号２１ｂ，２１ｃは、引戸本体２１を表部と裏部を構成する表面板であり、引戸本体２１の表部と裏部の各々に略矩形板状に設けられる。
同図１３中、符号２１ｄは、引戸幅方向へ連続する断面コ字状の骨材であり、その戸厚方向の両端面に表面板２１ｂ，２１ｃを接着している。
同図１３中、符号２１ｅは、引戸幅方向へ連続する断面コ字状の補強材であり、引戸本体２１の上端部に厚み方向へ跨って嵌り合うことで、火災時の高熱により表面板２１ｂ，２１ｃが骨材２１ｄから剥がれるのを防ぐ。
【００４８】
また、図１４中、符号２１ｆは、引戸本体２１の戸尻側の内面に沿って上下方向へ連続する断面コ字状の骨材であり、その戸厚方向の両端面に表面板２１ｂ，２１ｃを接着している。
同図１４中、符号２１ｇは、引戸本体２１の戸尻側の外面に沿って上下方向へ連続する断面コ字状の補強材であり、引戸本体２１の戸尻側端部に厚み方向へ跨って嵌り合うことで、火災時の高熱により表面板２１ｂ，２１ｃが骨材２１ｆから剥がれるのを防ぐ。
【００４９】
また、図１５中、符号２１ｈは、引戸本体２１の下端側の内面に沿って引戸横幅方向へ連続する断面コ字状の骨材であり、その戸厚方向の両端面に表面板２１ｂ，２１ｃを接着している。
同図１５中、符号２１ｂ１，２１ｃ１は、表面板２１ｂ，２１ｃの下端側を、それぞれ潰し曲げしてなる断面略Ｕ字状の曲げ部である。これら曲げ部２１ｂ１，２１ｃ１は、それぞれ、骨材２１ｈの下端縁に凹状に嵌り合うことで、火災時の高温によって表面板２１ｂ，２１ｃが骨材２１ｈから剥がれるのを防ぐ。
特に、図１０の引戸２０の下面図に示すように、曲げ部２１ｂ１，２１ｃ１と補強材２１ｍの隙間ｃ、曲げ部２１ｂ１，２１ｃ１と補強材２１ｇの隙間ｃ、骨材２１ｈと補強材２１ｍの隙間ｃ、骨材２１ｈと補強材２１ｇの隙間ｃは、何れも０ｍｍ又は０ｍｍに近い寸法に設定される。よって、火災時等の高熱により引戸本体２１内のガスが前記隙間ｃから外部へ流出するのを防ぐことができる。
【００５０】
また、図６中、符号２７は、耐熱板ガラスからなる矩形板状の小窓であり、符号２７ａは、小窓２７の周囲をパッキン等を介して支持する枠材である。
同図６中、符号２１ｉ，２１ｊは、小窓２７の枠材２７ａを受ける骨材である。これら骨材２１ｉ，２１ｊは、図８に示すように、引戸本体２１の上下方向の略全長にわたって連続している。特に、戸尻側の骨材２１ｊは、引戸本体２１内の戸尻側に上下方向に連続する通路状の空間を確保し、この空間によって、火災時に発生したガスを横幅方向や下方へ逃がさずに上方のガス抜き孔２２ｄへ導く（図８の二点鎖線参照）。
なお、引戸２０の補強を目的に引戸２０内に一つ又は複数の長尺状の骨材や補強材等を組み込む場合、引戸２０の上下方向及び横幅方向等、連続する方向を任意とすることが可能であるが、特に、引戸２０内に発生したガスの上方への移動を妨げないようにするためには、図示例の骨材２１ｉ，２１ｊのように、連続する方向が上下方向又は略上下方向となるようにするのが好ましい。さらに、前記骨材や補強材等の上端部の位置は、ガス抜き孔２２ｄを塞ぐのを避けた位置とするのが好ましい。
【００５１】
また、図１及び図７中、符号２８は、全閉時の引戸２０を施錠する錠前装置である。また、符号２１ｋ１（図７参照）は、引戸本体２１の最戸先側部分を補強する骨材であり、該骨材２１ｋ１の上端側には錠前装置２８を組付けるための切欠部２１ｋ１１が形成される。この切欠部２１ｋ１１による強度低下を防ぐために、骨材２１ｋ１における前記切欠部２１ｋ１１を有する部分の内側には、横断面コ字状の補強材２１ｋ２が設けられる。
すなわち、仮に補強材２１ｋ２を有さない構造であった場合には、火災時の高温により、骨材２１ｋ１が戸厚方向の内側へ変形するおそれがあるが、このような熱変形を、断面略コ字状の補強材２１ｋ２によって阻むことができる。
【００５２】
そして、前記補強材２１ｋ２には、戸厚方向に間隔を置いた二枚の補強板２１ｋ３，２１ｋ３が溶接固定される。そして、これら補強板２１ｋ３，２１ｋ３を間に挟むとともに挿通するようにして錠前装置２８が組み付けられている。
【００５３】
また、図７中、符号２１ｍは、引戸本体２１の戸先側の外面に沿って上下方向へ連続する断面コ字状の補強材であり、引戸本体２１の戸先側端部に厚み方向へ跨って嵌り合うことで、火災時の高熱により表面板２１ｂ，２１ｃが骨材２１ｋ１から剥がれるのを防ぐ。
【００５４】
次に、上記構成の開閉装置１について、特徴的な作用効果を詳細に説明する。
引戸２０の全閉状態において、通常時は、上側横枠１１と引戸２０の間には、隙間が確保されるため、この隙間によって、引戸２０内外の通気性も確保できる上、引戸２０の開閉動作性を良好に維持することができる（図２参照）。
また、万が一、火災等の発生により、火炎が前記隙間から上側横枠１１内に侵入しようとした場合には、この火炎の侵入を、前記隙間に形成される迂回路ｓ１や、引戸側突片部２２ａ等が阻む（図１３参照）。
【００５５】
火炎の勢いが強く、上側横枠１１内に侵入した場合には、上側横枠１１内の物体、例えば、ガイドレール１１ｃや、吊車２４、支持ブラケット２３、制動装置１１ｄ、駆動装置１１ｅ、及びこれらに関連する物体等が溶融し、その溶融物が落下したり、部分的な溶融により前記物体自体が落下したりするおそれがある。
このようにして、落下した落下物は、先ず、上側横枠１１に一体的に固定された受部１１ｇによって受けられ、この際に、受け切れなかった場合等には、引戸２０の上端側防炎補助部材２２（受部）や、上側横枠１１内下端側の凹状の内面等によって受けられる（図２参照）。
【００５６】
また、前記落下物が戸尻側へ落下した場合には、この落下物は、先ず、受部１１ｇの戸尻側の突出部分１１ｇ１１（図１参照）によって受けられ、この際に受け切れなかった場合等には、引戸２０の上端側防炎補助部材２２（受部）における戸尻側突出部２２ｃによって受けられる（図１及び図８等参照）。
【００５７】
そして、前記のようにして受部１１ｇ、上端側防炎補助部材２２（受部）又は上側横枠１１内下端の凹状内面によって受けられた落下物は、こぼれ落ちるようにして更に落下しようとするのを、受部１１ｇの戸厚方向突端側の突片部１１ｇ１（図１参照）や、上端側防炎補助部材２２（受部）の戸尻側突片部２２ｇ又は戸先側突片部２２ｆ等によって阻まれる。
【００５８】
よって、前記溶融物等の落下物が、床面に落ちて火種となるようなことを防ぐことができる。
特に、通過物等によって被引火物が比較的多い通路用開口部Ａ側では、その上方に、上側横枠１１に固定された受部１１ｇと、引戸２０の上端側防炎補助部材２２（受部）とが二重壁状に配置されるため、前記落下物の落下が効果的に阻まれる。
また、受部１１ｇの突出部分１１ｇ１１、及び上端側防炎補助部材２２の戸尻側突出部２２ｃを、戸袋部Ｂ内に部分的に突出させるようにしているため、前記溶融物等の落下物は、戸袋部Ｂ内へは落下する可能性がある。しかしながら、戸袋部Ｂ内への落下物は、前記突出部分１１ｇ１１及び戸尻側突出部２２ｃによって、通路用開口部Ａから戸袋部Ｂ内奥側へ離れた位置に落下する。このため、このような落下物が、通路用開口部Ａ近傍の被引火物や、床面のガイドローラ２６等を引火する火種となるのを防ぐことができる。また、前記溶融物等が戸袋部Ｂ内へ落下した場合であっても、戸袋部Ｂ内は比較的被引火物が少ないので、発火等の可能性を少なくすることができる。
【００５９】
また、万が一、火災等の発生により、火炎や煙等が前記隙間に侵入して引戸２０の内外へ通過しようとした場合には、これら火炎や煙等は、図１３及び図１４に二点鎖線で示すように、迂回路ｓ１，ｓ２によって迂回させられる。特に、上側横枠１１内においては、ガイドレール１１ｃや支持ブラケット２３及び吊車２４等が、火炎や煙等に対する障害物としても作用する。
【００６０】
よって、火災時等の熱により溶融や脱落等した物が、床面や下枠等に落ちて飛び散り火種となるのを防ぐことができる上、火炎や煙等が引戸２０内外へ通過するのを効果的に阻むことができ、ひいては、当該開閉装置１を、火災時の炎を建物内外に通過させない防火設備（防火戸）として機能させることも可能になる。
【００６１】
次に、本実施の形態の他の具体例である開閉装置２について説明する（図１６参照）。なお、この開閉装置２について、上記開閉装置１と略同様の部分については同一の符号を付けることで詳細な説明を省略する。
上述した開閉装置１（図１参照）が構築構造物の壁部の厚みｔ内に引戸２０（開閉体）を配置しているのに対し、以下に示す開閉装置２（図１６参照）は、構築構造物の壁部から厚み方向へ突出するように引戸２０’（開閉体）を配置している（面付けタイプと呼称される）。
【００６２】
開閉装置２は、内側に矩形状の通路用開口部Ａを有する枠体１０’と、通路用開口部Ａを横幅方向への移動により開閉する引戸２０’とを具備する。
【００６３】
枠体１０’は、引戸２０の開閉経路の上方側に位置する上側横枠（図示せず）と、通路用開口部Ａの閉鎖方向側（図１６によれば左端側）に位置する戸先側縦枠１２’と、引戸２０’の開閉範囲の中央寄りに位置する中央側縦枠１３’と、全開時の引戸２０’の戸尻に対向するように位置する戸尻側縦枠１４’とを具備する。
なお、この枠体１０’の前記上側横枠は、上記上側横枠１１と略同様の基本構造を有しており、ガイドレール１１ｃ、受部１１ｇ及び移動支持部２０ａ等を内在する。
そして、この枠体１０’の前記上側横枠（図示せず）と引戸２０’との間には、上記開閉装置１と略同様にして迂回路が形成され（図１３参照）、また、全閉時の引戸２０’の戸尻側部分と戸尻側縦枠１４’との間には、後述する迂回路ｓ３が形成される（図１６参照）。
【００６４】
戸先側縦枠１２’は、通路用開口部Ａの開閉体閉鎖方向側の端部に位置する部材であり、構築構造物等の壁部から厚み方向（図１６によれば下方）へ突出する部分を有し、この突出部分に、引戸２０の戸先を嵌脱する凹部１２ａ’を上下方向へわたって形成している。
この戸先側縦枠１２’内には、図１６に破線で示すように、戸厚方向へわたる横断面略Ｌ字状の補強材１２ｂ’が固定される。この補強材１２ｂ’は、上下方向に間隔を置いて複数配設され、枠体１０’の引戸２０’側の部分（図１６における下側部分）が火災時の熱変形により横幅方向（図１６によれば左方向）へ広がってしまうのを防ぐ。
【００６５】
中央側縦枠１３’は、通路用開口部Ａの戸尻側の内縁を形成するとともに、全閉時の引戸２０’の後端側部分に重なり合う部材である。
この中央側縦枠１３’における戸厚方向の一端側（図１６によれば下端側）には、戸厚方向へ突出するとともに戸尻方向へ向くように枠体側突片部１３ａ’が設けられる。この枠体側突片部１３ａ’は、上下方向へ連続して設けられ、迂回路ｓ３（図１６参照）を構成する。
なお、図１６中、符号１３ｂ’は、中央側縦枠１３’の熱変形を防ぐ補強材である。
【００６６】
戸尻側縦枠１４’は、構築構造物等の壁部から引戸２０’側（図１６によれば下方）へ突出するとともに、図示しない上側横枠から床面にわたる上下方向へ連続するように形成される。この戸尻側縦枠１４’は、引戸２０’を収納するための戸袋部Ｂの戸尻側端部を構成している。
【００６７】
引戸２０’は、上記引戸２０に対し、戸尻側防炎補助部材２５を戸尻側防炎補助部材２５’に置換した構成とされる。この引戸２０’の上端部には、上記引戸２０と同様に、上端側防炎補助部材２２（受部）が固定される（図示省略）。
【００６８】
戸尻側防炎補助部材２５’は、引戸上下方向の略全長にわたって、引戸本体２１の戸尻側の端面に固定された略矩形板状の部材である。この戸尻側防炎補助部材２５’には、引戸本体面よりも中央側縦枠１３’側へ突出するとともに戸先方向へも突出した引戸側突片部２５ａ’が形成される（図１６参照）。この引戸側突片部２５ａ’は迂回路ｓ３を構成する。
【００６９】
迂回路ｓ３は、図１６に示すように、引戸２０’の戸尻側端部から中央側縦枠１３’側へ突出するとともに戸先方向へ延設された引戸側突片部２５ａ’や、中央側縦枠１３’から引戸２０’面側へ突出するとともに引戸２０’面と引戸側突片部２５ａ’との間に入り込む枠体側突片部１３ａ’等によって構成される略蛇行状の通路である。この迂回路ｓ３は、引戸２０’を挟む一方の空間と他方の空間（図１６によれば引戸２０’上下の空間）とを、蛇行状に連通している。
【００７０】
よって、上記構成の開閉装置２によれば、火災時等の熱により溶融や脱落等した物が、床面や下枠等に落ちて飛び散り火種となるのを、図示しない上側横枠内の受部や上端側防炎補助部材２２（受部）によって防ぐことができる上、火炎や煙等が引戸２０内外へ通過するのを、迂回路ｓ１，ｓ２，ｓ３によって効果的に阻むことができ、ひいては、当該開閉装置１を、火災時の炎を建物内外に通過させない防火設備（防火戸）として機能させることも可能になる。
【００７１】
なお、上記態様において、上端側防炎補助部材２２は、図１７に示す上端側防炎補助部材２２’に置換することが可能である。上端側防炎補助部材２２’は、上記上端側防炎補助部材２２（図９参照）の堤部２２ｅを堤部２２ｅ’に置換したものである。
堤部２２ｅ’は、戸先側及び戸尻側の突片部２２ｆ，２２ｇと同構成の部材であり、ガス抜き孔２２ｄを間に置くようにして一対に設けられ、火災時等に引戸２０上方から落下した溶融物がガス抜き孔２２ｄ内へ侵入するのを阻む。
【００７２】
また、上記態様において、受部１１ｇは、開閉体幅方向へ連続する断面Ｌ字状の部材であってその端部側には突片部を有さない構成としたが、他例としては、受部１１ｇの戸尻側の端部（図１によれば右端部）に、上端側防炎補助部材２２（受部）と同様に、上向き突片部を設けてもよい。この他例によれば、火災時の溶融物や落下物が戸袋部Ｂ側へ落下するのを、前記戸尻側端部の上向き突片部によって、効果的に阻むことができる。
【００７３】
また、上記開閉装置１，２は、開閉体（引戸２０）を横幅方向へ開閉動作する引戸装置として構成したが、この開閉装置の他例としては、開閉体を上下方向の軸を中心に回転させながら横幅方向へ移動させて開閉動作する折戸装置やバランスドア等を構成することも可能である。
【００７４】
また、上記態様によれば、受部１１ｇを上側横枠１１の内壁に固定したが、他例としては、受部１１ｇを、当該開閉装置１の設置対象である構造物や他の不動部位に固定することも可能である。
【００７５】
また、上記態様によれば、特に好ましい具体例として、上側横枠１１側の受部１１ｇと引戸２０側の上端側防炎補助部材２２（受部）とによって、二重の受部を構成したが、他例としては、実使用上の支障等がなければ、前記二重の受部のうち、何れか一方のみを具備した態様とすることも可能である。
【００７６】
また、上記態様によれば、上端側防炎補助部材２２（受部）又は戸尻側防炎補助部材２５を開閉体厚さ方向において対称に構成することで、引戸２０の組立作業性及び製造性等を良好にしているが、他例としては、上端側防炎補助部材２２（受部）又は戸尻側防炎補助部材２５を開閉体厚さ方向において非対称に構成することも可能である。
【００７７】
また、上記態様によれば、引戸側突片部２２ａ及び上向き突片部２２ｂを、開閉体厚さ方向の両側に設けたが、他例として、実使用上特に支障がなければ、引戸側突片部２２ａと上向き突片部２２ｂの一方又は双方を、開閉体厚さ方向の片側のみに設けるようにしてもよい。また、実使用状況等によっては、引戸側突片部２２ａと上向き突片部２２ｂのうち、何れか一方又は双方を省くことも可能である。
【００７８】
また、上記態様によれば、移動支持部２０ａを吊車２４と支持ブラケット２３からなる構成としてが、この移動支持部の他例としては、転動することなくガイドレール１１ｃに摺接して移動する態様や、磁気浮上してガイドレール１１ｃ上を移動する態様等とすることも可能である。
【符号の説明】
【００７９】
１，２：開閉装置
１０，１０’：枠体
１１：上側横枠
１１ｃ：ガイドレール
１１ｇ：受部
１１ｇ１：突片部
２０ａ：移動支持部
２０，２０’：引戸（開閉体）
２１：引戸本体
２２，２２’：上端側防炎補助部材（受部）
２２ｂ：上向き突片部
２２ｃ：戸尻側突出部
２２ｇ：戸尻側突片部
２２ｆ：戸先側突片部
Ａ：通路用開口部
Ｂ：戸袋部
【図１】
2014202048.tif 000003
【図２】
2014202048.tif 000004
【図３】
2014202048.tif 000005
【図４】
2014202048.tif 000006
【図５】
2014202048.tif 000007
【図６】
2014202048.tif 000008
【図７】
2014202048.tif 000009
【図８】
2014202048.tif 000010
【図９】
2014202048.tif 000011
【図１０】
2014202048.tif 000012
【図１１】
2014202048.tif 000013
【図１２】
2014202048.tif 000014
【図１３】
2014202048.tif 000015
【図１４】
2014202048.tif 000016
【図１５】
2014202048.tif 000017
【図１６】
2014202048.tif 000018
【図１７】
2014202048.tif 000019